【手続補正書】
【提出日】平成20年7月4日(2008.7.4)
【手続補正１】
【補正対象書類名】特許請求の範囲
【補正対象項目名】全文
【補正方法】変更
【補正の内容】
【特許請求の範囲】
【請求項１】
被写体像に焦点を合わせる合焦手段と、
外部からの入力に基づき、前記被写体像における任意の領域を指定する第１の指定手段と、
前記第１の指定手段により指定された領域の色情報を抽出する抽出手段と、
前記被写体像において、前記抽出手段により抽出された色情報と所定割合以上の一致率の色でなる領域を指定する第２の指定手段と、
前記第２の指定手段により指定された領域に焦点を合わせるように前記合焦手段を制御する合焦制御手段と、
を備える撮像装置。
【請求項２】
前記第２の指定手段は、
前記被写体像において、前記抽出手段により抽出された色情報と所定割合以上の一致率の色でなる複数の領域を仮指定し、
外部からの入力に基づき、前記仮指定された複数の領域のうち一の領域を選択する選択手段を備えるとともに、
前記選択手段により選択された一の領域を指定する
請求項１の撮像装置。
【請求項３】
被写体像に焦点を合わせる合焦手段と、
外部からの入力に基づき、所定の複数の色情報の中から任意の色情報を指定する第１の指定手段と、
前記被写体像において、前記第１の指定手段により指定された色情報と所定割合以上の一致率の色でなる領域を指定する第２の指定手段と、
前記第２の指定手段により指定された領域に焦点を合わせるように前記合焦手段を制御する合焦制御手段と、
を備える撮像装置。
【請求項４】
前記複数の色情報に対応するそれぞれの色を表示する表示手段を備え、
前記第１の指定手段は、
外部からの入力に基づき、前記表示画面に表示された複数の色の中から任意の色を選択する第１の選択手段を備えるとともに、
前記第１の選択手段により選択された色に対応する色情報を指定する
請求項３の撮像装置。
【請求項５】
前記被写体像を撮像して画像データを得る撮像手段と、
前記撮像手段により得られた画像データと、前記複数の色情報に対応するそれぞれの色とを同時に表示する表示手段を備え、
前記第１の指定手段は、
外部からの入力に基づき、前記表示画面に表示された複数の色の中から任意の色を選択する第１の選択手段を備えるとともに、
前記第１の選択手段により選択された色に対応する色情報を指定する
請求項３の撮像装置。
【請求項６】
前記第２の指定手段は、
前記被写体像において、前記第１の指定手段により指定された色情報と所定割合以上の一致率の色でなる複数の領域を仮指定するとともに、
外部からの入力に基づき、前記仮指定された複数の領域のうち一の領域を選択する第２の選択手段を備え、
前記選択手段により選択された一の領域を指定する
請求項３から５いずれか１項の撮像装置。
【請求項７】
被写体像に焦点を合わせる合焦手段を備えるコンピュータを、
外部からの入力に基づき、前記被写体像における任意の領域を指定する第１の指定手段、
前記第１の指定手段により指定された領域の色情報を抽出する抽出手段、
前記被写体像において、前記抽出手段により抽出された色情報と所定割合以上の一致率の色でなる領域を指定する第２の指定手段、
前記第２の指定手段により指定された領域に焦点を合わせるように、前記合焦手段を制御する合焦制御手段、
として機能させるプログラム。
【請求項８】
被写体像に焦点を合わせる合焦手段を備えるコンピュータを、
外部からの入力に基づき、所定の複数の色情報の中から任意の色情報を指定する第１の指定手段、
前記被写体像において、前記第１の指定手段により指定された色情報と所定割合以上の一致率の色でなる領域を指定する第２の指定手段、
前記第２の指定手段により指定された領域に焦点を合わせるように、前記合焦手段を制御する合焦制御手段、
として機能させるプログラム。
【手続補正２】
【補正対象書類名】明細書
【補正対象項目名】発明の名称
【補正方法】変更
【補正の内容】
【発明の名称】撮像装置、及びプログラム
【手続補正３】
【補正対象書類名】明細書
【補正対象項目名】０００１
【補正方法】変更
【補正の内容】
【０００１】
本発明は、例えばデジタルカメラなどの撮像装置に係り、特にＡＦ（Automatic Focusing）機能を備えた撮像装置、当該撮像装置に用いるプログラムに関する。
【手続補正４】
【補正対象書類名】明細書
【補正対象項目名】０００７
【補正方法】変更
【補正の内容】
【０００７】
本発明は、上記課題を解決するためになされたものであり、合焦位置の指定を簡単な操作で自由に行い得る合焦位置指定方法、及びプログラムの提供を目的とする。
【手続補正５】
【補正対象書類名】明細書
【補正対象項目名】０００８
【補正方法】変更
【補正の内容】
【０００８】
上記課題を解決するために、請求項１に記載の発明では、被写体像に焦点を合わせる合焦手段と、外部からの入力に基づき、前記被写体像における任意の領域を指定する第１の指定手段と、前記第１の指定手段により指定された領域の色情報を抽出する抽出手段と、前記被写体像において、前記抽出手段により抽出された色情報と所定割合以上の一致率の色でなる領域を指定する第２の指定手段と、前記第２の指定手段により指定された領域に焦点を合わせるように前記合焦手段を制御する合焦制御手段と、を備えるものとした。
【手続補正６】
【補正対象書類名】明細書
【補正対象項目名】０００９
【補正方法】変更
【補正の内容】
【０００９】
また、請求項２に記載の発明では、前記第２の指定手段は、前記被写体像において、前記抽出手段により抽出された色情報と所定割合以上の一致率の色でなる複数の領域を仮指定し、外部からの入力に基づき、前記仮指定された複数の領域のうち一の領域を選択する選択手段を備えるとともに、前記選択手段により選択された一の領域を指定するものとした。
【手続補正７】
【補正対象書類名】明細書
【補正対象項目名】００１０
【補正方法】変更
【補正の内容】
【００１０】
また、請求項３に記載の発明では、被写体像に焦点を合わせる合焦手段と、外部からの入力に基づき、所定の複数の色情報の中から任意の色情報を指定する第１の指定手段と、前記被写体像において、前記第１の指定手段により指定された色情報と所定割合以上の一致率の色でなる領域を指定する第２の指定手段と、前記第２の指定手段により指定された領域に焦点を合わせるように前記合焦手段を制御する合焦制御手段と、を備えるものとした。
【手続補正８】
【補正対象書類名】明細書
【補正対象項目名】００１１
【補正方法】変更
【補正の内容】
【００１１】
また、請求項４に記載の発明では、前記複数の色情報に対応するそれぞれの色を表示する表示手段を備え、前記第１の指定手段は、外部からの入力に基づき、前記表示画面に表示された複数の色の中から任意の色を選択する第１の選択手段を備えるとともに、前記第１の選択手段により選択された色に対応する色情報を指定するものとした。
【手続補正９】
【補正対象書類名】明細書
【補正対象項目名】００１２
【補正方法】変更
【補正の内容】
【００１２】
また、請求項５に記載の発明では、前記被写体像を撮像して画像データを得る撮像手段と、前記撮像手段により得られた画像データと、前記複数の色情報に対応するそれぞれの色とを同時に表示する表示手段を備え、前記第１の指定手段は、外部からの入力に基づき、前記表示画面に表示された複数の色の中から任意の色を選択する第１の選択手段を備えるとともに、前記第１の選択手段により選択された色に対応する色情報を指定するものとした。
【手続補正１０】
【補正対象書類名】明細書
【補正対象項目名】００１３
【補正方法】変更
【補正の内容】
【００１３】
また、請求項６に記載の発明では、前記第２の指定手段は、前記被写体像において、前記第１の指定手段により指定された色情報と所定割合以上の一致率の色でなる複数の領域を仮指定するとともに、外部からの入力に基づき、前記仮指定された複数の領域のうち一の領域を選択する第２の選択手段を備え、前記選択手段により選択された一の領域を指定するものとした。
【手続補正１１】
【補正対象書類名】明細書
【補正対象項目名】００１４
【補正方法】変更
【補正の内容】
【００１４】
また、請求項７に記載の発明では、被写体像に焦点を合わせる合焦手段を備えるコンピュータを、外部からの入力に基づき、前記被写体像における任意の領域を指定する第１の指定手段、前記第１の指定手段により指定された領域の色情報を抽出する抽出手段、前記被写体像において、前記抽出手段により抽出された色情報と所定割合以上の一致率の色でなる領域を指定する第２の指定手段、前記第２の指定手段により指定された領域に焦点を合わせるように、前記合焦手段を制御する合焦制御手段、として機能させるものとした。
【手続補正１２】
【補正対象書類名】明細書
【補正対象項目名】００１５
【補正方法】変更
【補正の内容】
【００１５】
また、請求項８に記載の発明では、被写体像に焦点を合わせる合焦手段を備えるコンピュータを、外部からの入力に基づき、所定の複数の色情報の中から任意の色情報を指定する第１の指定手段、前記被写体像において、前記第１の指定手段により指定された色情報と所定割合以上の一致率の色でなる領域を指定する第２の指定手段、前記第２の指定手段により指定された領域に焦点を合わせるように、前記合焦手段を制御する合焦制御手段、として機能させるものとした。
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】変更
【補正の内容】
【００２５】
本発明によれば、合焦位置の指定を簡単な操作で自由に行い得る。